(57)【要約】【課題】  余分な装置を採用することなく、かつちらつき感を伴うことなく、両画像を適正に表示するようにした画像表示装置を提供する。【解決手段】  立体視用眼鏡は、両液晶素子２０ａ、２０ｂを有する。分配回路Ｂは、外部から直列に並んで入力される複数の画像データを第１及び第２の画像データとして両液晶素子２０ａ、２０ｂに分配する。これに伴い、両液晶素子２０ａ、２０ｂは、それぞれ分配される画像データを表示する。【選択図】    図１
2006025179.tif 000002
【特許請求の範囲】
【請求項１】
所定単位毎の第１画像データを順次画像として表示する第１表示部と、所定単位毎の第２画像データを順次画像として表示する第２表示部とを有する表示手段と、
複数の画像データを前記第１及び第２の画像データとして前記第１及び第２の表示部に分配する分配手段とを備える画像表示装置。
【請求項２】
前記複数の画像データのうち前記第１及び第２の画像データの一方の画像データに対応する画像データ毎に、当該画像データを特定する属性情報を含むように構成されており、
前記分配手段は、
前記複数の画像データに基づきその画像データ毎に前記属性情報を含むか否かにつき判定する属性情報判定手段を備えて、
この属性情報判定手段による前記属性情報を含むとの判定に伴い当該判定に係る前記複数の画像データ中の画像データを、前記第１及び第２の画像データの一方の画像データとして前記第１及び第２の表示部の一方に分配し、前記属性情報判定手段による前記属性情報を含まないとの判定に伴い当該判定に係る前記複数の画像データ中の画像データを、前記第１及び第２の画像データの他方の画像データとして前記第１及び第２の表示部の他方に分配することを特徴とする請求項１に記載の画像表示装置。
【請求項３】
前記分配手段は、
前記属性情報判定手段による前記属性情報を含むとの判定に伴い当該判定に係る前記複数の画像データ中の画像データを、前記第１及び第２の画像データの一方の画像データとして記憶する第１記憶手段と、
前記属性情報判定手段による前記属性情報を含まないとの判定に伴い当該判定に係る前記複数の画像データ中の画像データを、前記第１及び第２の画像データの他方の画像データとして記憶する第２記憶手段とを備えて、
前記第１記憶手段の記憶画像データを前記第１及び第２の表示部の一方に分配し、前記第２記憶手段の記憶画像データを前記第１及び第２の表示部の他方に分配するようにしたことを特徴とする請求項２に記載の画像表示装置。
【請求項４】
前記複数の画像データのうち前記第１及び第２の画像データに対応する両画像データ毎に、当該両画像データを特定する第１及び第２の属性情報を含むように構成されており、
前記分配手段は、
前記複数の画像データに基づきその画像データ毎に前記第１或いは第２の属性情報を含むか否かにつき判定する属性情報判定手段を備えて、
この属性情報判定手段による前記第１属性情報を含むとの判定に伴い当該判定に係る前記複数の画像データ中の画像データを、前記第１画像データとして前記第１表示部に分配し、前記属性情報判定手段による前記第２属性情報を含むとの判定に伴い当該判定に係る前記複数の画像データ中の画像データを、前記第２画像データとして前記第２表示部に分配することを特徴とする請求項１に記載の画像表示装置。
【請求項５】
前記分配手段は、
前記属性情報判定手段による前記第１属性情報を含むとの判定に伴い当該判定に係る前記複数の画像データ中の画像データを、前記第１画像データとして記憶する第１記憶手段と、
前記属性情報判定手段による前記第２属性情報を含むとの判定に伴い当該判定に係る前記複数の画像データ中の画像データを、前記第２画像データとして記憶する第２記憶手段とを備えて、
前記第１記憶手段に記憶済みの画像データを前記第１表示部に分配し、前記第２記憶手段に記憶済みの画像データを前記第２表示部に分配するようにしたことを特徴とする請求項４に記載の画像表示装置。
【請求項６】
前記所定単位は、フレーム単位であって、
前記複数の画像データのうち前記第１及び第２の画像データの一方の画像データに対応する画像データの第１フレームラインに対応するデータ部位毎に、当該画像データを特定する属性情報を含むように構成されており、
前記分配手段は、
外部から前記フレーム毎に入力される垂直同期信号及び複数の水平同期信号に基づき、前記複数の画像データの画像データ毎に第１フレームラインを判定するフレームライン判定手段と、
このフレームライン判定手段による前記第１フレームラインの判定に基づき前記複数の画像データの画像データ毎に、前記属性情報を含むか否かにつき判定する属性情報判定手段を備えて、
この属性情報判定手段による前記属性情報を含むとの判定に伴い当該判定に係る前記複数の画像データ中の画像データを、前記第１及び第２の画像データの一方の画像データとして前記第１及び第２の表示部の一方に分配し、前記属性情報判定手段による前記属性情報を含まないとの判定に伴い当該判定に係る前記複数の画像データ中の画像データを、前記第１及び第２の画像データの他方の画像データとして前記第１及び第２の表示部の他方に分配することを特徴とする請求項１に記載の画像表示装置。
【請求項７】
前記所定単位は、フレーム単位であって、
前記複数の画像データのうち前記第１及び第２の画像データに対応する両画像データの両第１フレームラインに対応する両データ部位毎に、当該両画像データを特定する第１及び第２の属性情報を含むように構成されており、
前記分配手段は、
外部から前記フレーム毎に入力される垂直同期信号及び複数の水平同期信号に基づき、前記複数の画像データの画像データ毎に第１フレームラインを判定するフレームライン判定手段と、
このフレームライン判定手段による前記第１フレームラインの判定に基づき前記複数の画像データの画像データ毎に、前記第１或いは第２の属性情報を含むか否かにつき判定する属性情報判定手段とを備えて、
この属性情報判定手段による前記第１属性情報を含むとの判定に伴いこの判定に係る前記複数の画像データ中の画像データを前記第１画像データとして前記第１表示部に分配し、前記属性情報判定手段による前記第２属性情報を含むとの判定に伴いこの判定に係る前記複数の画像データ中の画像データを前記第２画像データとして前記第２表示部に分配することを特徴とする請求項１に記載の画像表示装置。
【請求項８】
前記分配手段は、前記属性情報判定手段による前記第１属性情報を含むとの判定に伴いこの判定に係る前記複数の画像データ中の画像データのうち前記第１属性情報を含むデータ部位の前記第１表示部への分配を行わないようにし、前記属性情報判定手段による前記第２属性情報を含むとの判定に伴いこの判定に係る前記複数の画像データ中の画像データのうち前記第２属性情報を含むデータ部位の前記第２表示部への分配を行わないようにすることを特徴とする請求項７に記載の画像表示装置。
【請求項９】
前記複数の画像データのうち前記第１及び第２の画像データに対応する両画像データ毎に、当該両画像データを特定する第１及び第２の属性情報を含むように構成されており、
前記分配手段は、
前記複数の画像データを順次記憶する記憶装置と、
この記憶装置の複数の記憶画像データがその画像データ毎に前記第１或いは第２の属性情報を含むか否かにつき判定する属性情報判定手段と、
この属性情報判定手段による前記第１属性情報を含むとの判定に伴い当該判定に係る画像データを前記記憶装置から前記第１画像データとして読み出し、前記属性情報判定手段による前記第２属性情報を含むとの判定に伴いこの判定に係る画像データを前記記憶装置から前記第２画像データとして読み出すデータ選択手段とを備えて、
このデータ選択手段からの前記第１及び第２の画像データを前記第１及び第２の表示部に分配することを特徴とする請求項１に記載の画像表示装置。
【請求項１０】
前記分配手段は、前記属性情報判定手段による前記第１或いは第２の属性情報を含まないとの判定に伴い、前記記憶装置の複数の記憶画像データ中の最新の画像データを、前記第１或いは第２の画像データとして前記第１或いは第２の表示部に分配することを特徴とする請求項９に記載の画像表示装置。
【請求項１１】
前記複数の画像データのうち前記第１及び第２の画像データに対応する両画像データの両第１フレームラインに対応する両データ部位毎に、当該両画像データを特定する第１及び第２の属性情報を含むように構成されており、
前記分配手段は、アドレス手段、記憶装置、フレームライン判定手段、属性情報判定手段及びデータ選択手段を備えており、
前記アドレス手段は、前記記憶装置の記憶領域を順次指定して、前記記憶装置に前記各指定記憶領域において前記複数の画像データを順次記憶させ、
前記フレームライン判定手段は、前記フレーム毎に、前記アドレス手段の各指定のうちフレーム中の第１フレームラインに対応する指定に基づき当該第１フレームラインを判定し、
前記属性情報判定手段は、前記フレームライン判定手段による前記第１フレームラインの判定に基づき前記記憶装置の複数の記憶画像データが前記第１或いは第２の属性情報を含むか否かにつき判定し、
前記データ選択手段は、前記属性情報判定手段による前記第１属性情報を含むとの判定に伴い当該判定に係る画像データを前記記憶装置から前記第１画像データとして読み出し、前記属性情報判定手段による前記第２属性情報を含むとの判定に伴い当該判定に係る画像データを前記記憶装置から前記第２画像データとして読み出し、
前記分配手段は、前記データ選択手段からの前記第１及び第２の画像データを前記第１及び第２の表示部に分配することを特徴とする請求項７に記載の画像表示装置。
【請求項１２】
前記所定単位は、フレーム単位であって、
前記分配手段は、フレーム判定手段並びに第１及び第２の記憶装置を備えており、
前記フレーム判定手段は、前記フレーム毎に、外部から入力される垂直同期信号及び複数の水平同期信号に基づき、奇数フレームであるか偶数フレームであるかにつき判定し、奇数フレームとの判定に伴い当該判定に係る前記複数の画像データ中の画像データを前記第１画像データとして前記第１記憶装置に記憶させ、偶数フレームとの判定に伴い当該判定に係る前記複数の画像データ中の画像データを前記第２画像データとして前記第２記憶装置に記憶させ、
前記第１及び第２の表示部は、前記第１及び第２の記憶装置からの画像データを、それぞれ、順次、前記第１及び第２の画像として表示することを特徴とする請求項１に記載の画像表示装置。
【請求項１３】
使用者により操作される切り替え操作手段を備えて、
この切り換え操作手段が切り換え操作されたとき、前記フレーム判定手段は、前記複数の画像データ中の奇数フレームの画像データを前記第２記憶装置に記憶させ、前記複数の画像データ中の偶数フレームの画像データを前記第１記憶装置に記憶させ、
前記第１及び第２の表示部は、前記第１及び第２の記憶装置からの記憶画像データを、それぞれ、順次、前記第１及び第２の画像として表示するようにしたことを特徴とする請求項１２に記載の画像表示装置。
【発明の詳細な説明】
【技術分野】
【０００１】
本発明は、画像表示装置に関するものである。
【背景技術】
【０００２】
従来、この種の画像表示装置においては、下記特許文献１に開示された表示制御装置がある。この表示制御装置は、互いに視差を有する左右一組の画像を面順次で切り替えてディスプレイ上に表示するとともに、この表示切り替えに同期して立体視用の液晶シャッター眼鏡の視界制御を行うようになっている。
【特許文献１】特開平１１−１２７４５７号公報
【発明の開示】
【発明が解決しようとする課題】
【０００３】
ところで、上述のような表制御示装置では、上述のように、左右一組の画像を面順次で切り替えて表示するためのディスプレイの他に、液晶シャッター眼鏡が必須とであるという不具合がある。
【０００４】
また、上述の液晶シャッター眼鏡の視界制御は、左右の液晶シャッターの切り替えでもって行うため、ディスプレイ上の表示を当該液晶シャッター眼鏡を通して見ても、観察者にちらつき感を与えるという不具合がある。
【０００５】
また、左右一組の画像は左右の各画像を直列に並べた画像信号として構成されているため、例えば、左右の画像のうちの一方の画像が、上述した面順次の切り替えでもって、ディスプレイ上に表示されないと、液晶シャッター眼鏡によって見たとき観察者に対し違和感を与えるという不具合を招く。
【０００６】
そこで、本発明は、以上のようなことに対処するため、余分な装置を採用することなく、かつちらつき感を伴うことなく、両画像を適正に表示するようにした画像表示装置を提供することを目的とする。
【課題を解決するための手段】
【０００７】
上記課題の解決にあたり、本発明に係る画像表示装置は、請求項１の記載によれば、
所定単位毎の第１画像データを順次画像として表示する第１表示部（２０ａ）と、所定単位毎の第２画像データを順次画像として表示する第２表示部（２０ｂ）とを有する表示手段（Ａ）と、
複数の画像データを上記第１及び第２の画像データとして第１及び第２の表示部に分配する分配手段（Ｂ、Ｂａ、Ｂｂ）とを備える。
【０００８】
これによれば、複数の画像データが上記第１及び第２の画像データとして第１及び第２の表示部に分配されるので、本明細書の冒頭にて述べたような液晶シャッター眼鏡が不要となり、ちらつき感を伴うことなく、第１及び第２の表示部にて適正に画像表示することができる。
【０００９】
また、本発明は、請求項２の記載によれば、請求項１に記載の画像表示装置において、
上記複数の画像データのうち上記第１及び第２の画像データの一方の画像データに対応する画像データ毎に、当該画像データを特定する属性情報を含むように構成されている。
【００１０】
また、分配手段は、
上記複数の画像データに基づきその画像データ毎に上記属性情報を含むか否かにつき判定する属性情報判定手段（５０、６０）を備えて、
この属性情報判定手段による上記属性情報を含むとの判定に伴い当該判定に係る上記複数の画像データ中の画像データを、上記第１及び第２の画像データの一方の画像データとして上記第１及び第２の表示部の一方に分配し、属性情報判定手段による上記属性情報を含まないとの判定に伴い当該判定に係る上記複数の画像データ中の画像データを、上記第１及び第２の画像データの他方の画像データとして第１及び第２の表示部の他方に分配することを特徴とする。
【００１１】
これによれば、複数の画像データが、上述のように、属性情報を含むように構成されている。そして、このような複数の画像データを利用することで、属性情報判定手段が上記属性情報を含むと判定すると当該判定に係る上記複数の画像データ中の画像データが、上記第１及び第２の画像データの一方の画像データとして上記第１及び第２の表示部の一方に分配される。また、属性情報判定手段が上記属性情報を含まないと判定すると当該判定に係る上記複数の画像データ中の画像データが、上記第１及び第２の画像データの他方の画像データとして第１及び第２の表示部の他方に分配される。
【００１２】
従って、上述のように、上記複数の画像データが、上記第１及び第２の画像データの一方の画像データに対応する画像データ毎に、当該画像データを特定する属性情報を含むように構成されても、上述のように第１及び第２の表示部への画像データを分配することで、請求項１に記載に述べた作用効果をより一層向上できる。
【００１３】
また、本発明は、請求項３の記載によれば、請求項２に記載の画像表示装置において、
分配手段は、
属性情報判定手段による上記属性情報を含むとの判定に伴い当該判定に係る上記複数の画像データ中の画像データを、上記第１及び第２の画像データの一方の画像データとして記憶する第１記憶手段（７０ａ）と、
属性情報判定手段による上記属性情報を含まないとの判定に伴い当該判定に係る上記複数の画像データ中の画像データを、上記第１及び第２の画像データの他方の画像データとして記憶する第２記憶手段（７０ｂ）とを備えて、
第１記憶手段の記憶画像データを第１及び第２の表示部の一方に分配し、第２記憶手段の記憶画像データを第１及び第２の表示部の他方に分配するようにしたことを特徴とする。
【００１４】
このように、属性情報判定手段が上記属性情報を含むと判定すると当該判定に係る上記複数の画像データ中の画像データを、上記第１及び第２の画像データの一方の画像データとして第１記憶手段に記憶し、また、属性情報判定手段が上記属性情報を含まないと判定すると当該判定に係る上記複数の画像データ中の画像データを、上記第１及び第２の画像データの他方の画像データとして第２記憶手段に記憶して、第１記憶手段の記憶画像データを第１及び第２の表示部の一方に分配し、第２記憶手段の記憶画像データを第１及び第２の表示部の他方に分配するようにしても、請求項２に記載の発明と同様の作用効果を達成できる。
【００１５】
また、本発明は、請求項４の記載によれば、請求項１に記載の画像表示装置において、
上記複数の画像データのうち上記第１及び第２の画像データに対応する両画像データ毎に、当該両画像データを特定する第１及び第２の属性情報を含むように構成されている。
【００１６】
また、分配手段は、
上記複数の画像データに基づきその画像データ毎に上記第１或いは第２の属性情報を含むか否かにつき判定する属性情報判定手段（５０、６０）を備えて、
この属性情報判定手段による上記第１属性情報を含むとの判定に伴い当該判定に係る上記複数の画像データ中の画像データを、上記第１画像データとして第１表示部に分配し、属性情報判定手段による上記第２属性情報を含むとの判定に伴い当該判定に係る上記複数の画像データ中の画像データを、上記第２画像データとして第２表示部に分配することを特徴とする。
【００１７】
これにより、上述のように第１及び第２の属性情報を含むように構成した複数の画像データを利用することで、属性情報判定手段が上記第１属性情報を含むと判定すると当該判定に係る上記複数の画像データ中の画像データが、上記第１画像データとして上記第１表示部に分配される。また、属性情報判定手段が上記第２属性情報を含むと判定すると当該判定に係る上記複数の画像データ中の画像データが、上記第２画像データとして第２表示部に分配される。
【００１８】
従って、上記複数の画像データが、上記第１及び第２の画像データに対応する両画像データ毎に、当該両画像データを特定する第１及び第２の属性情報を含むように構成されても、上述のように第１及び第２の表示部への画像データを分配することで、請求項１に記載に述べた作用効果をより一層向上できる。
【００１９】
また、本発明は、請求項５の記載によれば、請求項４に記載の画像表示装置において、
分配手段は、
属性情報判定手段による上記第１属性情報を含むとの判定に伴い当該判定に係る上記複数の画像データ中の画像データを、上記第１画像データとして記憶する第１記憶手段（７０ａ）と、
属性情報判定手段による上記第２属性情報を含むとの判定に伴い当該判定に係る上記複数の画像データ中の画像データを、上記第２画像データとして記憶する第２記憶手段（７０ｂ）とを備えて、
第１記憶手段に記憶済みの画像データを第１表示部に分配し、第２記憶手段に記憶済みの画像データを第２表示部に分配するようにしたことを特徴とする。
【００２０】
このように、属性情報判定手段が上記第１属性情報を含むと判定すると当該判定に係る上記複数の画像データ中の画像データを、上記第１画像データとして第１記憶手段に記憶し、また、属性情報判定手段が上記第２属性情報を含むと判定すると当該判定に係る上記複数の画像データ中の画像データを、上記第２画像データとして第２記憶手段に記憶して、第１記憶手段の記憶画像データを第１表示部に分配し、第２記憶手段の記憶画像データを第２表示部に分配するようにしても、請求項４に記載の発明と同様の作用効果を達成できる。
【００２１】
また、本発明は、請求項６の記載によれば、請求項１に記載の画像表示装置において、
上記所定単位は、フレーム単位であって、
上記複数の画像データのうち上記第１及び第２の画像データの一方の画像データに対応する画像データの第１フレームラインに対応するデータ部位毎に、当該画像データを特定する属性情報を含むように構成されており、
分配手段は、
外部から上記フレーム毎に入力される垂直同期信号及び複数の水平同期信号に基づき、上記複数の画像データの画像データ毎に第１フレームラインを判定するフレームライン判定手段（５０）と、
このフレームライン判定手段による上記第１フレームラインの判定に基づき上記複数の画像データの画像データ毎に、上記属性情報を含むか否かにつき判定する属性情報判定手段（６０）を備えて、
この属性情報判定手段による上記属性情報を含むとの判定に伴い当該判定に係る上記複数の画像データ中の画像データを、上記第１及び第２の画像データの一方の画像データとして第１及び第２の表示部の一方に分配し、属性情報判定手段による上記属性情報を含まないとの判定に伴い当該判定に係る上記複数の画像データ中の画像データを、上記第１及び第２の画像データの他方の画像データとして第１及び第２の表示部の他方に分配することを特徴とする。
【００２２】
これによれば、複数の画像データが、上述のように画像データの第１フレームラインに対応するデータ部位に属性情報を含むように構成されている。
【００２３】
そして、このような複数の画像データを利用することで、フレームライン判定手段が上述のように上記複数の画像データの画像データの第１フレームラインを判定するに伴い属性情報判定手段が上記属性情報を含むと判定すると当該判定に係る上記複数の画像データ中の画像データが、上記第１及び第２の画像データの一方の画像データとして上記第１及び第２の表示部の一方に分配される。
【００２４】
また、フレームライン判定手段が上述のように上記複数の画像データの画像データの第１フレームラインを判定するに伴い属性情報判定手段が上記属性情報を含まないと判定すると当該判定に係る上記複数の画像データ中の画像データが、上記第１及び第２の画像データの他方の画像データとして第１及び第２の表示部の他方に分配される。
【００２５】
従って、上述のように、上記複数の画像データが、上記第１及び第２の画像データの一方の画像データに対応する画像データのデータ部位に、当該画像データを特定する属性情報を含むように構成されても、第１及び第２の表示部への画像データを上述のように分配することで、請求項１に記載に述べた作用効果をより一層向上できる。
【００２６】
また、本発明は、請求項７の記載によれば、請求項１に記載の画像表示装置において、
上記所定単位は、フレーム単位であって、
上記複数の画像データのうち上記第１及び第２の画像データに対応する両画像データの両第１フレームラインに対応する両データ部位毎に、当該両画像データを特定する第１及び第２の属性情報を含むように構成されており、
分配手段は、
外部から上記フレーム毎に入力される垂直同期信号及び複数の水平同期信号に基づき、上記複数の画像データの画像データ毎に第１フレームラインを判定するフレームライン判定手段（５０）と、
このフレームライン判定手段による上記第１フレームラインの判定に基づき上記複数の画像データの画像データ毎に、上記第１或いは第２の属性情報を含むか否かにつき判定する属性情報判定手段（６０）とを備えて、
この属性情報判定手段による上記第１属性情報を含むとの判定に伴いこの判定に係る上記複数の画像データ中の画像データを上記第１画像データとして第１表示部に分配し、属性情報判定手段による上記第２属性情報を含むとの判定に伴いこの判定に係る上記複数の画像データ中の画像データを上記第２画像データとして第２表示部に分配することを特徴とする。
【００２７】
これによれば、複数の画像データが、上述のように、両画像データの第１フレームラインに対応するデータ部位に第１及び第２の属性情報を含むように構成されている。
【００２８】
そして、このような複数の画像データを利用することで、フレームライン判定手段が上述のように上記複数の画像データの画像データの第１フレームラインを判定するに伴い属性情報判定手段が上記第１属性情報を含むと判定すると当該判定に係る上記複数の画像データ中の画像データが、上記第１画像データとして上記第１表示部に分配される。
【００２９】
また、フレームライン判定手段が上述のように上記複数の画像データの画像データの第１フレームラインを判定するに伴い属性情報判定手段が上記第２属性情報を含むと判定すると当該判定に係る上記複数の画像データ中の画像データが、上記第２画像データとして第２表示部に分配される。
【００３０】
従って、上述のように、上記複数の画像データが、上記第１及び第２の画像データのデータ部位に、当該両画像データを特定する第１及び第２の属性情報を含むように構成されても、第１及び第２の表示部への画像データを上述のように分配することで、請求項１に記載に述べた作用効果をより一層向上できる。
【００３１】
また、本発明は、請求項８の記載によれば、請求項７に記載の画像表示装置において、
分配手段は、属性情報判定手段による上記第１属性情報を含むとの判定に伴いこの判定に係る上記複数の画像データ中の画像データのうち上記第１属性情報を含むデータ部位の第１表示部への分配を行わないようにし、属性情報判定手段による上記第２属性情報を含むとの判定に伴いこの判定に係る上記複数の画像データ中の画像データのうち上記第２属性情報を含むデータ部位の第２表示部への分配を行わないようにすることを特徴とする。
【００３２】
このように、上記第１及び第２の属性情報を含む両データ部位を第１及び第２の表示部へ分配しないことで、第１及び第２の表示部には、上記第１及び第２の属性情報が表示されない。このことは、第１及び第２の表示部が、上記第１及び第２の属性情報を除いた第１及び第２の画像を表示することを意味する。
【００３３】
従って、観察者は、上記第１及び第２の属性情報を視認することなく、本来の画像のみを視認することとなる。その結果、観察者に違和感を与えることなく、請求項７の記載の発明の作用効果が達成され得る。
【００３４】
また、本発明は、請求項９の記載によれば、請求項１に記載の画像表示装置において、
上記複数の画像データのうち上記第１及び第２の画像データに対応する両画像データ毎に、当該両画像データを特定する第１及び第２の属性情報を含むように構成されており、
分配手段は、
上記複数の画像データを順次記憶する記憶装置（７０ｃ）と、
この記憶装置の複数の記憶画像データがその画像データ毎に上記第１或いは第２の属性情報を含むか否かにつき判定する属性情報判定手段（６０ａ）と、
この属性情報判定手段による上記第１属性情報を含むとの判定に伴い当該判定に係る画像データを記憶装置から上記第１画像データとして読み出し、属性情報判定手段による上記第２属性情報を含むとの判定に伴いこの判定に係る画像データを記憶装置から上記第２画像データとして読み出すデータ選択手段（６０ｂ）とを備えて、
このデータ選択手段からの上記第１及び第２の画像データを第１及び第２の表示部に分配することを特徴とする。
【００３５】
これによれば、複数の画像データが、上述のように両画像データ毎に当該両画像データを特定する第１及び第２の属性情報を含むように構成されている。
【００３６】
そして、このような複数の画像データを利用することで、属性情報判定手段が上記第１属性情報を含むと判定すると当該判定に係る画像データが記憶装置から上記第１画像データとして読み出されて第１表示部に分配される。また、属性情報判定手段が上記第２属性情報を含むと判定するとこの判定に係る画像データが記憶装置から上記第２画像データとして読み出されて第２表示部に分配される。
【００３７】
従って、上記複数の画像データが、上記第１及び第２の画像データに対応する両画像データ毎に、当該両画像データを特定する第１及び第２の属性情報を含むように構成されても、上述のように第１及び第２の表示部への画像データを分配することで、請求項１に記載に述べた作用効果をより一層向上できる。
【００３８】
また、本発明は、請求項１０の記載によれば、請求項９に記載の画像表示装置において、
分配手段は、属性情報判定手段による上記第１或いは第２の属性情報を含まないとの判定に伴い、記憶装置の複数の記憶画像データ中の最新の画像データを、上記第１或いは第２の画像データとして第１或いは第２の表示部に分配することを特徴とする。
【００３９】
これにより、上述のように第１或いは第２の属性情報を含まないと判定されても、記憶装置からの最新の画像データでもって、第１或いは第２の表示部の画像表示がなされる。従って、観察者に違和感を与えることなく、請求項９に記載の発明の作用効果を達成できる。
【００４０】
また、本発明は、請求項１１の記載によれば、請求項７に記載の画像表示装置において、
上記複数の画像データのうち上記第１及び第２の画像データに対応する両画像データの両第１フレームラインに対応する両データ部位毎に、当該両画像データを特定する第１及び第２の属性情報を含むように構成されている。
【００４１】
また、分配手段は、アドレス手段（３０ｂ）、記憶装置（７０ｃ）、フレームライン判定手段（５０ａ）、属性情報判定手段（６０ａ）及びデータ選択手段（６０ｂ）を備えており、
アドレス手段は、記憶装置の記憶領域を順次指定して、記憶装置に上記各指定記憶領域において上記複数の画像データを順次記憶させ、
フレームライン判定手段は、上記フレーム毎に、アドレス手段の各指定のうちフレーム中の第１フレームラインに対応する指定に基づき当該第１フレームラインを判定し、
属性情報判定手段は、フレームライン判定手段による上記第１フレームラインの判定に基づき記憶装置の複数の記憶画像データが上記第１或いは第２の属性情報を含むか否かにつき判定し、
データ選択手段は、属性情報判定手段による上記第１属性情報を含むとの判定に伴い当該判定に係る画像データを記憶装置から上記第１画像データとして読み出し、属性情報判定手段による上記第２属性情報を含むとの判定に伴い当該判定に係る画像データを記憶装置から上記第２画像データとして読み出し、
分配手段は、データ選択手段からの上記第１及び第２の画像データを第１及び第２の表示部に分配することを特徴とする。
【００４２】
これによれば、複数の画像データが、上述のように両画像データの第１フレームラインに対応するデータ部位に第１及び第２の属性情報を含むように構成されている。
【００４３】
そして、このような複数の画像データを利用することで、フレームライン判定手段が上述のようにアドレス手段の指定に基づき上記複数の画像データの画像データの第１フレームラインを判定するに伴い属性情報判定手段が上記第１属性情報を含むと判定すると当該判定に係る画像データが記憶装置から上記第１画像データとして読み出されて上記第１表示部に分配される。
【００４４】
また、フレームライン判定手段が上述のようにアドレス手段の指定に基づき上記複数の画像データの画像データの第１フレームラインを判定するに伴い属性情報判定手段が上記第２属性情報を含むと判定すると当該判定に係る画像データが、記憶装置から上記第２画像データとして読み出されて第２表示部に分配される。
【００４５】
従って、上述のように、上記複数の画像データが、上記第１及び第２の画像データのデータ部位に、当該両画像データを特定する第１及び第２の属性情報を含むように構成されても、上述のように第１及び第２の表示部への画像データを分配することで、請求項７に記載に述べた作用効果をより一層向上できる。
【００４６】
また、本発明は、請求項１２の記載によれば、請求項１に記載の画像表示装置において、
上記所定単位は、フレーム単位であって、
分配手段は、フレーム判定手段（５０ｂ）並びに第１及び第２の記憶装置（７０ｄ、７０ｅ）を備えており、
フレーム判定手段は、上記フレーム毎に、外部から入力される垂直同期信号及び複数の水平同期信号に基づき、奇数フレームであるか偶数フレームであるかにつき判定し、奇数フレームとの判定に伴い当該判定に係る上記複数の画像データ中の画像データを上記第１画像データとして第１記憶装置に記憶させ、偶数フレームとの判定に伴い当該判定に係る上記複数の画像データ中の画像データを上記第２画像データとして第２記憶装置に記憶させ、
第１及び第２の表示部は、第１及び第２の記憶装置からの画像データを、それぞれ、順次、上記第１及び第２の画像として表示することを特徴とする。
【００４７】
これにより、フレーム判定手段による奇数フレームとの判定に伴い当該判定に係る上記複数の画像データ中の画像データが上記第１画像データとして第１記憶装置に記憶され、フレーム判定手段による偶数フレームとの判定に伴い当該判定に係る上記複数の画像データ中の画像データが上記第２画像データとして第２記憶装置に記憶される。そして、第１及び第２の記憶装置からの画像データが、それぞれ、順次、第１及び第２の表示部により、上記第１及び第２の画像として表示される。
【００４８】
このように、複数の画像データ中の画像データが奇数フレームに対応するか偶数フレームに対応するかでもって、第１及び第２の記憶装置への画像データの記憶を振り分け、このように振り分けた第１及び第２の記憶装置の記憶画像データを第１及び第２の表示部に分配するようにしても、請求項１に記載の発明と実質的に同様の作用効果が達成され得る。
【００４９】
また、本発明は、請求項１３の記載によれば、請求項１２に記載の画像表示装置において、
使用者により操作される切り替え操作手段（ＳＷ）を備えて、
この切り換え操作手段が切り換え操作されたとき、フレーム判定手段は、上記複数の画像データ中の奇数フレームの画像データを第２記憶装置に記憶させ、上記複数の画像データ中の偶数フレームの画像データを第１記憶装置に記憶させ、
第１及び第２の表示部は、第１及び第２の記憶装置からの記憶画像データを、それぞれ、順次、上記第１及び第２の画像として表示するようにしたことを特徴とする。
【００５０】
これにより、第１及び第２の表示部の各表示画像が相互に入れ替わっているときに使用者によって切り替え操作手段が操作されると、上記複数の画像データ中の奇数フレームの画像データが第１記憶装置に記憶され、また、上記複数の画像データ中の偶数フレームの画像データが第１記憶装置に記憶される。
【００５１】
従って、このように記憶先の記憶装置を相互に入れ替えることで、第１及び第２の表示部の両表示画像が、本来の適正な表示画像となる。その結果、観察者に違和感を与えることがない。
【００５２】
なお、上記各手段の括弧内の符号は、後述する実施形態に記載の具体的手段との対応関係を示すものである。
【発明を実施するための最良の形態】
【００５３】
以下、本発明の各実施形態を図面により説明する。
（第１実施形態）
図１及び図２は、本発明に係る画像表示装置の第１実施形態を示している。当該画像表示装置は、立体視用眼鏡Ａ（図２参照）及び分配装置Ｂ（図１参照）でもって構成されている。
【００５４】
眼鏡Ａは、図２にて示すごとく、枠体１０と、左右両側液晶素子２０ａ、２０ｂとを備えている。枠体１０は、観察者の顔に装着される通常の眼鏡の枠体と同様の形状を有するもので、この枠体１０は、枠１０ａと、左右両側のツル１０ｂとでもって構成されている。ここで、枠１０ａは、左右両側液晶素子２０ａ、２０ｂをはめ込むための左右両側環状部１１を備えている。また、左右両側ツル１０ｂは、枠１０ａの左右両側端部から長手状に延出しており、当該各ツル１０ｂは、互いに枠１０ａの裏面に向けて折りたたみ可能となっている。
【００５５】
左右両側液晶素子２０ａ、２０ｂは、共に、透過型液晶パネルからなるもので、これら左右両側液晶素子２０ａ、２０ｂは、図２にて示すごとく、枠１０ａの各環状部１１内にそれぞれはめ込まれている。なお、各液晶素子２０ａ、２０ｂは、その表示面にて、枠１０ａの裏面側に位置する。
【００５６】
分配装置Ｂは、図１にて示すごとく、入力回路３０を備えており、この入力回路３０は、ビデオ信号入力回路３１及び信号分離回路３２でもって構成されている。ビデオ信号入力回路３１は、外部回路から２次元状のカラー動画等のカラー画像に対応する画像データを順次直列に並べた複数の画像データを入力されてアナログカラー画像信号として信号分離回路３２に入力する。
【００５７】
本第１実施形態では、上記複数の画像データは、互いに視差のある左眼用及び右眼用の各組のカラー画像データをフレーム毎に順次直列に並べて構成されている。なお、左眼用カラー画像データは、左眼用の赤色、青色及び緑色の各画像データで構成され、右眼用カラー画像データは、右眼用の赤色、青色及び緑色の各画像データで構成される。
【００５８】
また、本第１実施形態では、上記アナログカラー画像信号においてフレーム毎のカラー画像データ（左眼用の赤色、青色及び緑色の各画像データ並びに右眼用の赤色、青色及び緑色の各画像データ）のうち第１フレームラインに対応するデータ部位（以下、第１データ部位ともいう）には、属性情報が含まれている。なお、上記第１フレームラインとは、上記フレームの複数のフレームラインのうち最初（最上位）のフレームラインをいう。
【００５９】
ここで、各カラー画像データのうち左眼用カラー画像データの第１データ部位に含まれる属性情報は、黒色情報であり、当該カラー画像データのうち右眼用カラー画像データの第１データ部位に含まれる属性情報は、白色情報である。
【００６０】
換言すれば、左眼用の赤色、青色及び緑色の各画像データの第１データ部位には、属性情報である黒色情報に基づいてデータが存在し、右眼用の赤色、青色及び緑色の各画像データの第１データ部位には、属性情報である白色情報に基づいてデータが存在しないことになる。
【００６１】
また、当該ビデオ信号入力回路３１は、上記外部回路から、上記アナログカラー画像信号のフレーム毎に、垂直同期信号（例えば、６０（Ｈｚ）の周波数を有する）及び複数の水平同期信号（３０（Ｈｚ）を有する）を入力されてフレームライン判定回路５０（後述する）に入力する。
【００６２】
信号分離回路３２は、ビデオ信号入力回路３１から入力されるアナログカラー画像信号を、アナログ赤色画像信号、アナログ青色画像信号及びアナログ緑色画像信号に分離して出力する。ここで、例えば、上記アナログ赤色画像信号、アナログ青色画像信号及びアナログ緑色画像信号は、それぞれ、図３（ａ）にて例示するごとく、左眼用画像データＬ１、右眼用画像データＲ１、左眼用画像データＬ２、右眼用画像データＲ２、左眼用画像データＬ３、右眼用画像データＲ３、左眼用画像データＬ４、右眼用画像データＲ４・・・でもって構成される。
【００６３】
また、左眼用の各画像データＬ１、Ｌ２、Ｌ３、Ｌ４、・・・を一般的に左眼用画像データＬｎでもって表せば、当該左眼用画像データの第１データ部位に含まれる属性情報である黒色情報は、図３（ｂ）において符号Ｌｄでもって表される。一方、右眼用の各画像データＲ１、Ｒ２、Ｒ３、Ｒ４、・・・を一般的に左眼用画像データＲｎでもって表せば、当該右眼用画像データの第１データ部位に含まれる属性情報である白色情報は、図３（ｂ）において符号Ｒｄでもって表される。
【００６４】
また、当該画像表示装置は、図１にて示すごとく、アナログーデジタル変換装置４０（以下、Ａ−Ｄ変換装置４０という）を備えており、このＡ−Ｄ変換装置４０は、アナログーデジタル変換器４１、４２、４３（以下、Ａ−Ｄ変換器４１、４２、４３ともいう）でもって構成されている。Ａ−Ｄ変換器４１は、信号分離回路３２からのアナログ赤色画像信号をデジタル赤色画像信号にデジタル変換する。Ａ−Ｄ変換器４２は、信号分離回路３２からのアナログ青色画像信号をデジタル青色画像信号にデジタル変換する。また、Ａ−Ｄ変換器４３は、信号分離回路３２からのアナログ緑色画像信号をデジタル緑色画像信号にデジタル変換する。
【００６５】
フレームライン判定回路５０は、フレーム毎に、ビデオ信号入力回路３１からの垂直同期信号の入力直後の水平同期信号に基づき、フレームにおける第１フレームラインを順次判定し第１フレームライン判定信号を出力する。
【００６６】
属性情報判定回路６０は、フレームライン判定回路５０からの各第１フレームライン判定信号に基づき、Ａ−Ｄ変換装置４０からのデジタル赤色画像信号、デジタル青色画像信号及びデジタル緑色画像信号の赤色、青色及び緑色の左眼用及び右眼用の各画像データ中の属性情報を判定し、左眼用情報判定信号及び右眼用情報判定信号を発生する。
【００６７】
記憶装置７０ａは、フレームメモリ７１〜７３を備えており、当該記憶装置７０ａは、属性情報判定回路６０からの各左眼用情報判定信号に基づき、Ａ−Ｄ変換装置４０からのデジタル赤色画像信号、デジタル青色画像信号及びデジタル緑色画像信号中の各左眼用画像データをそれぞれ選択して左眼用の赤色画像データ、青色画像データ及び緑色画像データとして各フレームメモリ７１、７２及び７３に順次記憶させる。
【００６８】
また、記憶装置７０ａは、出力回路（図示しない）を有しており、この出力回路は、各フレームメモリ７１、７２及び７３への記憶済みの上記各左眼用画像データのうちその第１データ部位以外のデータ部位を表示用画像データ（表示用の赤色画像データ、青色画像データ及び緑色画像データ）として出力する。
【００６９】
また、記憶装置７０ｂは、フレームメモリ７４〜７６を備えており、当該記憶装置７０ｂは、属性情報判定回路６０からの各右眼用情報判定信号に基づき、Ａ−Ｄ変換器４１〜４３からのデジタル赤色画像信号、デジタル青色画像信号及びデジタル緑色画像信号の各右眼用画像データをそれぞれ選択して右眼用の赤色画像データ、青色画像データ及び緑色画像データとして各フレームメモリ７４、７５及び７６に順次記憶させる。
【００７０】
また、当該記憶装置７０ｂは、出力回路（図示しない）を有しており、この出力回路は、各フレームメモリ７４、７５及び７６に記憶済みの上記各右眼用画像データのうち第１データ部位以外の画像データ部位を表示画像データ（赤色表示画像データ、青色表示画像データ及び緑色表示画像データ）として出力する。
【００７１】
デジタル−アナログ変換装置８０ａ（以下、Ｄ−Ａ変換装置８０ａという）は、デジタル−アナログ変換器８１〜８３（以下、Ｄ−Ａ変換器８１〜８３という）でもって構成されている。Ｄ−Ａ変換器８１は、記憶装置７０ａの出力回路からの赤色表示画像データを赤色表示アナログデータに変換する。Ｄ−Ａ変換器８２は、記憶装置７０ａの出力回路からの青色表示画像データを青色表示アナログデータに変換する。また、Ｄ−Ａ変換器８３は、記憶装置７０ａの出力回路からの緑色表示画像データを緑色表示アナログデータに変換する。
【００７２】
また、デジタル−アナログ変換装置８０ｂ（以下、Ｄ−Ａ変換装置８０ｂという）は、デジタル−アナログ変換器８４〜８６（以下、Ｄ−Ａ変換器８４〜８６という）でもって構成されている。Ｄ−Ａ変換器８４は、記憶装置７０ｂの出力回路からの表示用赤色画像データを表示用赤色アナログデータに変換する。Ｄ−Ａ変換器８５は、記憶装置７０ｂの出力回路からの青色表示画像データを青色表示アナログデータに変換する。また、Ｄ−Ａ変換器８６は、記憶装置７０ｂの出力回路からの緑色表示画像データを緑色表示アナログデータに変換する。
【００７３】
駆動回路９０ａは、ビデオ信号入力回路３１からフレーム毎に入力される垂直同期信号及び複数の水平同期信号に基づき、左眼用液晶素子２０ａを駆動して、Ｄ−Ａ変換装置８０ａからの赤色表示アナログデータ、青色表示アナログデータ及び表示緑色アナログデータを、液晶素子２０ａの表示面に２次元状のカラー画像として表示させる。
【００７４】
一方、駆動回路９０ｂは、ビデオ信号入力回路３１からフレーム毎に入力される垂直同期信号及び複数の水平同期信号に基づき、右眼用液晶素子２０ｂを駆動して、Ｄ−Ａ変換装置８０ｂからの赤色表示アナログデータ、青色表示アナログデータ及び緑色表示アナログデータを、液晶素子２０ｂの表示面に２次元状のカラー画像として表示させる。
【００７５】
以上のように構成した本第１実施形態において、観察者が眼鏡Ａをかけた状態で、当該画像表示装置を作動させるものとする。このような状態において、入力回路３０のビデオ信号入力回路３１がアナログカラー画像信号を信号分離回路３２に入力すると、当該信号分離回路３２が、当該アナログカラー画像信号を、アナログ赤色画像信号、アナログ青色画像信号及びアナログ緑色画像信号に分離して出力する。
【００７６】
これに伴い、Ａ−Ｄ変換装置４０は、信号分離回路３２からのアナログ赤色画像信号、アナログ青色画像信号及びアナログ緑色画像信号を、それぞれ、Ａ−Ｄ変換器４１、４２及び４３によりデジタル赤色画像信号、デジタル青色画像信号及びデジタル緑色画像信号に変換して出力する。
【００７７】
また、入力回路３０のビデオ信号入力回路３１が、上記アナログカラー画像信号のフレーム毎に、垂直同期信号及び複数の水平同期信号をフレームライン判定回路５０に入力すると、当該フレームライン判定回路５０が、フレーム毎に、ビデオ信号入力回路３１からの垂直同期信号の入力直後の水平同期信号に基づき、フレームにおける第１フレームラインを順次判定し第１フレームライン判定信号を出力する。
【００７８】
上述のように、Ａ−Ｄ変換装置４０がデジタル赤色画像信号、デジタル青色画像信号及びデジタル緑色画像信号に変換して属性情報判定回路６０に出力するとともに、フレームライン判定回路５０が、フレームごとに、第１フレームライン判定信号を属性情報判定回路６０に出力すると、当該属性情報判定回路６０は、当該各第１フレームライン判定信号に基づき、当該ジタル赤色画像信号、デジタル青色画像信号及びデジタル緑色画像信号中の上記属性情報を判定し、左眼用情報判定信号及び右眼用情報判定信号を発生し記憶装置７０ａ及び記憶装置７０ｂに出力する。
【００７９】
すると、記憶装置７０ａは、属性情報判定回路６０からの各左眼用情報判定信号に基づき、Ａ−Ｄ変換装置４０からのデジタル赤色画像信号、デジタル青色画像信号及びデジタル緑色画像信号中の各左眼用画像データをそれぞれ選択して左眼用の赤色画像データ、青色画像データ及び緑色画像データとして各フレームメモリ７１、７２及び７３に順次記憶させる。
【００８０】
一方、記憶装置７０ｂは、属性情報判定回路６０からの各右眼用情報判定信号に基づき、Ａ−Ｄ変換装置４０からのデジタル赤色画像信号、デジタル青色画像信号及びデジタル緑色画像信号中の各右眼用画像データをそれぞれ選択して右眼用の赤色画像データ、青色画像データ及び緑色画像データとして各フレームメモリ７４、７５及び７６に順次記憶させる。
【００８１】
上述のように各記憶装置７０ａ、７０ｂへの記憶がなされると、記憶装置７０ａは、その出力回路により、各フレームメモリ７１、７２及び７３への記憶済みの上記各左眼用画像データに基づき赤色表示画像データ、青色表示画像データ及び緑色表示画像データをＤ−Ａ変換装置８０ａに出力するとともに、記憶装置７０ｂは、その出力回路により、各フレームメモリ７４、７５及び７６への記憶済みの上記各右眼用画像データに基づき赤色表示画像データ、青色表示画像データ及び緑色表示画像データをＤ−Ａ変換装置８０ｂに出力する。
【００８２】
すると、Ｄ−Ａ変換装置８０ａは、記憶装置７０ａからの赤色表示画像データ、青色表示画像データ及び緑色表示画像データを、Ｄ−Ａ変換器８１、８２及び８３により、赤色表示アナログデータ、青色表示アナログデータ及び緑色表示アナログデータに変換して駆動回路９０ａに出力する。
【００８３】
また、Ｄ−Ａ変換装置８０ｂは、記憶装置７０ｂからの赤色表示画像データ、青色表示画像データ及び緑色表示画像データを、Ｄ−Ａ変換器８４、８５及び８６により、赤色表示アナログデータ、青色表示アナログデータ及び緑色表示アナログデータに変換して駆動回路９０ｂに出力する。
【００８４】
しかして、駆動回路９０ａは、ビデオ信号入力回路３１からフレーム毎に入力される垂直同期信号及び複数の水平同期信号に基づき、左眼用液晶素子２０ａを駆動して、Ｄ−Ａ変換装置８０ａからの赤色表示アナログデータ、青色表示アナログデータ及び表示緑色アナログデータを、液晶素子２０ａの表示面に２次元状のカラー画像として表示させる。
【００８５】
また、駆動回路９０ｂは、ビデオ信号入力回路３１からフレーム毎に入力される垂直同期信号及び複数の水平同期信号に基づき、右眼用液晶素子２０ｂを駆動して、Ｄ−Ａ変換装置８０ｂからの赤色表示アナログデータ、青色表示アナログデータ及び緑色表示アナログデータを、液晶素子２０ｂの表示面に２次元状のカラー画像として表示させる。
【００８６】
ここで、上述のごとく、両記憶装置７０ａ、７０ｂは、その各出力回路でもって、属性情報を含む第１データ部位を出力しないようにしてある。このため、各液晶素子２０ａ、２０ｂには、画像データのうち属性情報を含むデータ部位は表示されないので、観察者に違和感を与えることもない。
【００８７】
ところで、入力回路３０において、上述のように信号分離回路３２から出力されるアナログ赤色画像信号、アナログ青色画像信号及びアナログ緑色画像信号のうち、例えば、図３（Ｃ）にて示すごとく、アナログ赤色画像信号において、右眼用画像データＲ２が欠けているものとする。このような状態においては、Ａ−Ｄ変換装置４０のＡ−Ｄ変換器４１から上述のように出力されるデジタル赤色画像信号においても、同様に、右眼用画像データＲ２が欠けている。
【００８８】
このような状態で、上述のごとく、属性情報判定回路６０が左眼用情報判定信号及び右眼用情報判定信号を、それぞれ、順次発生すると、記憶装置７０ａが、属性情報判定回路６０からの各左眼用情報判定信号に基づき、Ａ−Ｄ変換装置４０からのデジタル赤色画像信号、デジタル青色画像信号及びデジタル緑色画像信号中の各左眼用画像データをそれぞれ選択して左眼用の赤色画像データ、青色画像データ及び緑色画像データとして各フレームメモリ７１、７２及び７３に順次記憶させる。
【００８９】
また、記憶装置７０ｂが、属性情報判定回路６０からの各右眼用情報判定信号に基づき、Ａ−Ｄ変換装置４０からのデジタル赤色画像信号、デジタル青色画像信号及びデジタル緑色画像信号中の各右眼用画像データをそれぞれ選択して右眼用の赤色画像データ、青色画像データ及び緑色画像データとして各フレームメモリ７４、７５及び７６に順次記憶させる。
【００９０】
このような各記憶装置７０ａ、７０ｂによる記憶過程において、記憶装置７０ａのフレームメモリ７１には、図３（ｄ）にて例示するごとく、画像データＬ１、画像データＬ２、画像データＬ３、画像データＬ４、・・・が順次記憶される。しかし、上述のごとく、Ａ−Ｄ変換装置４０のＡ−Ｄ変換器４１から出力されるデジタル赤色画像信号においては、右眼用画像データＲ２が欠けている。
【００９１】
このため、属性情報判定回路６０は、当該画像データＲ２に対応する右眼用情報判定信号を発生しない。従って、記憶装置７０ｂは、属性情報判定回路６０からの画像データＲ１に対応する右眼用情報判定信号に基づき、画像データＲ１を、最新の画像データとしてフレームメモリ７４に記憶させる。その結果、フレームメモリ７４には、図３（ｅ）にて例示するごとく、画像データＲ１、画像データＲ１、画像データＲ３、画像データＲ４、・・・の順で記憶される。
【００９２】
従って、左眼用液晶素子２０ａには、画像データＬ１、画像データＬ２、画像データＬ３、画像データＬ４、・・・の順で表示されるが、右眼用液晶素子２０ｂには、画像データＲ１、画像データＲ１、画像データＲ３、画像データＲ４、・・・の順で表示されることとなる。
【００９３】
このような右眼用液晶素子２０ｂにおける表示では、上述のように画像データＲ２が欠けていても、この画像データＲ２の代わりに、最新の画像データである画像データＲ１が表示されるので、観察者は特に違和感なく右眼用画像データを左眼用画像データと共に立体的に視認できる。
（第２実施形態）
図４は、本発明に係る画像表示装置の第２実施形態を示している。この第２実施形態では、上記第１実施形態にて述べた画像表示装置において、分配装置Ｂに代えて、分配装置Ｂａを採用した構成となっている。
【００９４】
分配装置Ｂａは、図４にて示すごとく、入力回路３０ａを有しており、この入力回路３０ａは、上記第１実施形態にて述べた入力回路３０において、信号分離回路３２を廃止した構成となっている。このため、当該入力回路３０ａは、上記第１実施形態にて述べたビデオ信号入力回路３１とは異なり、外部回路から２次元状の動画等の画像に対応する画像データを順次直列に並べた複数の画像データを入力されてアナログ画像信号として属性情報判定回路６０ａ及びデータ選択回路６０ｂに入力する。なお、本第２実施形態では、入力回路３０ａは、外部回路（図示しない）から、フレーム毎に、垂直同期信号及び複数の水平同期信号を入力される。
【００９５】
但し、本第２実施形態においても、上記第１実施形態と実質的に同様に、当該アナログ画像信号においてフレーム毎の画像データのうち第１フレームラインに対応するデータ部位（以下、第１データ部位ともいう）には、属性情報が含まれている。即ち、上記第１実施形態と実質的に同様に、左眼用の各画像データの第１データ部位には、属性情報が黒色情報として含まれ、右眼用の各画像データの第１データ部位には、属性情報が白色情報として含まれる。
【００９６】
また、当該分配装置Ｂａは、図４にて示すごとく、アドレス回路３０ｂ、Ａ−Ｄ変換装置４０ａ及び記憶装置７０ｃを備えている。アドレス回路３０ｂは、一連のアドレス信号を順次発生するもので、当該一連のアドレス信号は、それぞれ、記憶装置７０ｃの一連の記憶領域の各々を指定する役割を果たす。
【００９７】
Ａ−Ｄ変換装置４０ａは、単一のＡ−Ｄ変換器からなるもので、このＡ−Ｄ変換装置４０ａは、入力回路３０ａからのアナログ画像信号をデジタル画像信号にデジタル変換して記憶装置７０ｃに出力する。
【００９８】
記憶装置７０ｃは、単一のフレームメモリからなるもので、この記憶装置７０ｃには、上述した一連の記憶領域を有している。しかして、当該記憶装置７０ｃは、Ａ−Ｄ変換装置４０ａからのデジタル画像信号を、画像データ毎に、アドレス回路３０ｂからの一連のアドレス信号の各々に基づき、上記一連の記憶領域に順次記憶する。
【００９９】
また、当該分配装置Ｂａは、フレームライン判定回路５０ａ、属性情報判定回路６０ａ及びデータ選択回路６０ｂを備えている。フレームライン判定回路５０ａは、アドレス回路３０ｂからの一連のアドレス信号の各々に基づき、記憶装置５０ａの一連の記憶領域に記憶済みの各画像データに対応する各フレームにおける第１フレームラインを順次判定し第１フレームライン判定信号を出力する。ここで、各アドレス信号は、記憶装置５０ａの一連の記憶領域の各々に記憶済みの各画像データに対応する。
【０１００】
属性情報判定回路６０ａは、フレームライン判定回路５０ａからの各第１フレームライン判定信号に基づき、記憶装置７０ｃの一連の記憶領域に記憶済みの各画像データ中の属性情報を判定し、左眼用情報判定信号及び右眼用情報判定信号を発生する。
【０１０１】
データ選択回路６０ｂは、属性情報判定回路６０ａからの左眼用情報判定信号に基づき、記憶装置５０ａに記憶済みの各画像データのうち左眼用画像データを選択してＤ−Ａ変換装置８０ｃに出力するとともに、属性情報判定回路６０ａからの右眼用情報判定信号に基づき、記憶装置５０ａに記憶済みの各画像データのうち右眼用画像データを選択してＤ−Ａ変換装置８０ｃに出力する。
【０１０２】
Ｄ−Ａ変換装置８０ｃは、両Ｄ−Ａ変換器８７、８８を備えており、Ｄ−Ａ変換器８７は、データ選択回路６０ｂで選択される各左眼用画像データを左眼用アナログ画像データにアナログ変換する。また、Ｄ−Ａ変換器８８は、データ選択回路６０ｂで選択される各右眼用画像データを右眼用アナログ画像データにアナログ変換する。
【０１０３】
駆動回路９０ａは、入力回路３０ａからのフレーム毎に入力される垂直同期信号及び複数の水平同期信号に基づき、左眼用液晶素子２０ａを駆動して、Ｄ−Ａ変換器８７からの左眼用アナログ画像データを、液晶素子２０ａの表示面に２次元状の画像として表示させる。
【０１０４】
一方、駆動回路９０ｂは、入力回路３０ａからのフレーム毎に入力される垂直同期信号及び複数の水平同期信号に基づき、右眼用液晶素子２０ｂを駆動して、Ｄ−Ａ変換器８８からの右眼用アナログ画像データを、液晶素子２０ｂの表示面に２次元状の画像として表示させる。
【０１０５】
以上のように構成した本第２実施形態において、観察者が眼鏡Ａをかけた状態で、当該画像表示装置を作動させるものとする。このような状態において、入力回路３０ａがアナログ画像信号をＡ−Ｄ変換装置４０ａに入力すると、このアナログ画像信号は、Ａ−Ｄ変換装置４０ａにより、デジタル変換されてデジタル画像信号として記憶装置７０ｃに出力される。これに伴い、記憶装置７０ｃは、Ａ−Ｄ変換装置４０ａからのデジタル画像信号を、画像データ毎に、アドレス回路３０ｂからの一連のアドレス信号の各々に基づき、上記一連の記憶領域に順次記憶する。
【０１０６】
しかして、フレームライン判定回路５０ａが、アドレス回路３０ｂからの一連のアドレス信号の各々に基づき、記憶装置５０ａの一連の記憶領域に記憶済みの各画像データに対応の各フレームにおける第１フレームラインを順次判定し、第１フレームライン判定信号を出力する。
【０１０７】
すると、属性情報判定回路６０ａは、フレームライン判定回路５０ａからの各第１フレームライン判定信号に基づき、記憶装置７０ｃの一連の記憶領域に記憶済みの各画像データ中の属性情報を判定し、左眼用情報判定信号及び右眼用情報判定信号を発生し、データ選択回路６０ｂに出力する。
【０１０８】
これに伴い、データ選択回路６０ｂは、属性情報判定回路６０ａからの左眼用情報判定信号に基づき、記憶装置５０ａに記憶済みの各画像データのうち左眼用画像データを選択してＤ−Ａ変換装置８０ｃに出力するとともに、属性情報判定回路６０ａからの右眼用情報判定信号に基づき、記憶装置５０ａに記憶済みの各画像データのうち右眼用画像データを選択してＤ−Ａ変換装置８０ｃに出力する。
【０１０９】
すると、Ｄ−Ａ変換装置８０ｃでは、Ｄ−Ａ変換器８７が、データ選択回路６０ｂで選択される各左眼用画像データを左眼用アナログ画像データにアナログ変換して駆動回路９０ａに出力するとともに、Ｄ−Ａ変換器８８が、データ選択回路６０ｂで選択される各右眼用画像データを右眼用アナログ画像データにアナログ変換して駆動回路９０ｂに出力する。
【０１１０】
このようにして、左眼用アナログ画像データ及び右眼用アナログ画像データが、それぞれ、順次、各駆動回路９０ａ、９０ｂに出力されると、各駆動回路９０ａ、９０ｂは、入力回路３０ａからフレーム毎に入力される垂直同期信号及び複数の水平同期信号に基づき、左眼用及び右眼用の各液晶素子２０ａ、２０ｂを駆動して、各Ｄ−Ａ変換器８７、８８からの左眼用及び右眼用の各アナログ画像データを、各液晶素子２０ａ、２０ｂの表示面に２次元状の動画として表示させる。
【０１１１】
ところで、入力回路３０ａからのアナログ画像信号において、例えば、上記第１実施形態にて述べたように右眼用画像データＲ２（図３（Ｃ）参照）が欠けていると、Ａ−Ｄ変換装置４０ａから上述のように出力されるデジタル画像信号及び記憶装置７０ｃの記憶データにおいても、同様に、右眼用画像データＲ２が欠けている。
【０１１２】
このような状態で、フレームライン判定回路５０ａが上述のごとく記憶装置７０ｃの一連の記憶領域に記憶済みの各画像データに対応の各フレームにおける第１フレームラインを順次判定しても、当該フレームライン判定回路５０ａは、右眼用画像データＲ２に対応するフレームの第１フレームラインを判定し得ず、当該第１フレームラインに対応する第１フレームライン判定信号を出力しない。
【０１１３】
従って、属性情報判定回路６０ａは、右眼用画像データＲ２に対応する右眼用画像情報を判定できず、右眼用画像データＲ２に対応する右眼用情報判定信号を出力しない。
【０１１４】
よって、データ選択回路６０ｂが、上述のごとく、属性情報判定回路６０ａからの左眼用情報判定信号及び右眼用情報判定信号に基づき、記憶装置７０ｃに記憶済みの画像データを選択しても、右眼用画像データＲ２を選択しない。
【０１１５】
従って、上述のように記憶装置７０ｃに記憶済みの画像データがデータ選択回路６０ｂにより選択されると、左眼用画像データが、当該データ選択回路６０ｂから、例えば、上記第１実施形態にて述べたように、画像データＬ１、画像データＬ２、画像データＬ３、画像データＬ４（図３（ｄ）参照）の順で選択されてＤ−Ａ変換器８７に出力される。
【０１１６】
一方、データ選択回路６０ｂで順次選択される右眼用画像データのうち画像データＲ２は、上述のように、記憶装置７０ｃには記憶されておらず、しかも、属性情報判定回路６０ａは右眼用画像データＲ２に対応する右眼用情報判定信号を出力しない。
【０１１７】
このため、データ選択回路６０ｂは、属性情報判定回路６０ａからの画像データＲ１に対応する右眼用情報判定信号に基づき、記憶装置７０ｃから画像データＲ１を選択する。従って、データ選択回路６０ｂでは、右眼用画像データが、例えば、上記第１実施形態にて述べたように、画像データＲ１、画像データＲ１、画像データＲ３、画像データＲ４（図３（ｅ）参照）の順で選択されてＤ−Ａ変換器８８に出力される。
【０１１８】
以上より、上記第１実施形態にて述べたと同様に、左眼用液晶素子２０ａには、画像データＬ１、画像データＬ２、画像データＬ３、画像データＬ４、・・・の順で表示されるが、右眼用液晶素子２０ｂには、画像データＲ１、画像データＲ１、画像データＲ３、画像データＲ４、・・・の順で表示されることとなる。その結果、本第２実施形態によっても、上記第１実施形態と同様に、観察者は特に違和感なく左眼用画像データ及び右眼用画像データを視認できる。
（第３実施形態）
図５は、本発明の第３実施形態の要部を示している。この第３実施形態では、上記第１実施形態にて述べた画像表示装置において、分配装置Ｂに代えて、分配装置Ｂｂを採用した構成となっている。
【０１１９】
分配装置Ｂｂは、図５にて示すごとく、入力回路３０ｃを有しており、この入力回路３０ｃは、上記第２実施形態にて述べたと同様に、外部回路から、２次元状の動画等の画像に対応する画像データを順次直列に並べた複数の画像データを入力されてアナログ画像信号としてＡ−Ｄ変換装置４０ｂ（後述する）に入力する。
【０１２０】
ここで、各左眼用画像データは奇数番目のフレームに対応し、各右眼用画像データは偶数番目のフレームに対応する。また、当該入力回路３０ｃは、外部回路から、上記フレーム毎に、垂直同期信号及び複数の水平同期信号を入力される。但し、本第３実施形態では、上記アナログ画像信号は、上記第１或いは第２の実施形態にて述べたような属性情報を含んでいない。
【０１２１】
また、当該分配装置Ｂｂは、Ａ−Ｄ変換装置４０ｂ、フレーム判定回路５０ｂ及び切り替えスイッチＳＷを備えている。Ａ−Ｄ変換装置４０ｂは、入力回路３０ｃからのアナログ画像信号をデジタル画像信号にデジタル変換する。
【０１２２】
フレーム判定回路５０ｂは、入力回路３０ｃから順次入力される垂直同期信号及び複数の水平同期信号に基づき、上記フレームの順番を判定し、奇数番目のフレーム毎に奇数フレーム判定信号を発生し、偶数番目のフレーム毎に偶数フレーム判定信号を発生する。また、当該フレーム判定回路５０ｂは、切り替えスイッチＳＷの切り替え操作に伴い、各対応の奇数フレーム判定信号及び偶数フレーム判定信号の発生順序を逆にする。
【０１２３】
切り替えスイッチＳＷは、左眼用及び右眼用の各液晶素子２０ａ、２０ｂにより表示される画像が相互に入れ替わっているときに使用者によって操作される。
【０１２４】
各記憶装置７０ｄ、７０ｅは、それぞれ、単一のフレームメモリでもって構成されている。記憶装置７０ｄは、フレーム判定回路５０ｂから順次出力される奇数フレーム判定信号に基づき、Ａ−Ｄ変換装置４０ｂからのデジタル画像信号から奇数番目のフレームに対応する左眼用画像データを順次選択する。これに伴い、記憶装置７０ｄは、その記憶領域に、上述のように選択する左眼用画像データを順次記憶する。
【０１２５】
一方、記憶装置７０ｅは、フレーム判定回路５０ｂから順次出力される偶数フレーム判定信号に基づき、Ａ−Ｄ変換装置４０ｂからのデジタル画像信号において偶数番目のフレームに対応する右眼用画像データを順次選択する。これに伴い、記憶装置７０ｅは、その記憶領域に、上述のように選択する右眼用画像データを順次記憶する。
【０１２６】
各Ｄ−Ａ変換装置８０ｄ、８０ｅは、共に、単一のＤ−Ａ変換器からなるもので、Ｄ−Ａ変換装置８０ｄは、記憶装置７０ｄに記憶済みの左眼用画像データを順次アナログ変換し左眼用アナログ画像データとして駆動回路９０ａに出力する。一方、Ｄ−Ａ変換装置８０ｅは、記憶装置７０ｅに記憶済みの右眼用画像データを順次アナログ変換し右眼用アナログ画像データとして駆動回路９０ｂに出力する。
【０１２７】
駆動回路９０ａは、入力回路３０ｃからフレーム毎に入力される垂直同期信号及び複数の水平同期信号に基づき、左眼用液晶素子２０ａを駆動して、Ｄ−Ａ変換装置８０ｄからの左眼用アナログ画像データを、液晶素子２０ａの表示面に２次元状の動画として表示させる。
【０１２８】
一方、駆動回路９０ｂは、入力回路３０ｃからフレーム毎に入力される垂直同期信号及び複数の水平同期信号に基づき、右眼用液晶素子２０ｂを駆動して、Ｄ−Ａ変換装置８０ｅからの右眼用アナログ画像データを、液晶素子２０ｂの表示面に２次元状の動画として表示させる。
【０１２９】
以上のように構成した本第３実施形態において、観察者が眼鏡Ａをかけた状態で、当該画像表示装置を作動させるものとする。このような状態において、入力回路３０ｃがアナログ画像信号をＡ−Ｄ変換装置４０ｂ入力すると、当該アナログ画像信号は、Ａ−Ｄ変換装置４０ｂにより、デジタル変換されて、デジタル画像信号として両記憶装置７０ｄ、７０ｅに出力される。
【０１３０】
また、フレーム判定回路５０ｂは、入力回路３０ｃから順次入力される垂直同期信号及び複数の水平同期信号に基づき、上記フレームの順番を判定し、奇数番目のフレーム毎に奇数フレーム判定信号を発生し、偶数番目のフレーム毎に偶数フレーム判定信号を発生する。そして、当該フレーム判定回路５０ｂは、各奇数フレーム判定信号を記憶装置７０ｄに順次出力するとともに、各偶数フレーム判定信号を、順次、記憶装置７０ｅに出力する。
【０１３１】
すると、記憶装置７０ｄは、フレーム判定回路５０ｂからの各奇数フレーム判定信号に基づき、Ａ−Ｄ変換装置４０ｂからのデジタル画像信号において奇数番目のフレームに対応する左眼用画像データを順次選択する。一方、記憶装置７０ｅは、フレーム判定回路５０ｂからの各偶数フレーム判定信号に基づき、Ａ−Ｄ変換装置４０ｂからのデジタル画像信号において偶数番目のフレームに対応する右眼用画像データを順次選択する。
【０１３２】
このように選択される各左眼用画像データ及び各右眼用画像データは、各記憶装置７０ｄ、７０ｅによりその各書き込み領域に記憶される。これに伴い、記憶装置７０ｄに記憶済みの各左眼用画像データは、Ｄ−Ａ変換装置８０ｄにより順次アナログ変換されて左眼用アナログ画像データとして駆動回路９０ａに出力される。一方、記憶装置７０ｅに記憶済みの各右眼用画像データは、Ｄ−Ａ変換装置８０ｅにより順次アナログ変換されて右眼用アナログ画像データとして駆動回路９０ｂに出力される。
【０１３３】
上述のように、左眼用アナログ画像データ及び右眼用アナログ画像データが、それぞれ、順次、各駆動回路９０ａ、９０ｂに出力されると、各駆動回路９０ａ、９０ｂは、入力回路３０ｃからフレーム毎に入力される垂直同期信号及び複数の水平同期信号に基づき、左眼用及び右眼用の各液晶素子２０ａ、２０ｂを駆動して、各Ｄ−Ａ変換装置８０ｄ、８０ｅからの左眼用及び右眼用の各アナログ画像データを、各液晶素子２０ａ、２０ｂの表示面に２次元状の画像として表示させる。
【０１３４】
ところで、上述のような各液晶素子２０ａ、２０ｂによる表示過程において、例えば、上記第１実施形態にて述べた左眼用画像データＬ４と右眼用画像データＲ４が相互に入れかわっていると、右眼用画像データＲ４が液晶素子２０ａにおいて画像として表示され、左眼用画像データＬ４が液晶素子２０ｂにおいて画像として表示される。
【０１３５】
このとき、切り替えスイッチＳＷが切り替え操作されると、フレーム判定回路５０ｂが、各対応の奇数フレーム判定信号及び偶数フレーム判定信号の発生順序を逆にする。これに伴い、記憶装置７０ｄには、偶数フレームに対応する画像データが左眼用画像データとして記憶され、然る後、Ｄ−Ａ変換装置８０ｄによりアナログ変換されて駆動回路９０ａに出力される。一方、記憶装置７０ｅには、奇数フレームに対応する画像データが右眼用画像データとして記憶され、然る後、Ｄ−Ａ変換装置８０ｅによりアナログ変換されて駆動回路９０ｂに出力される。
【０１３６】
よって、液晶素子２０ａには、上述した偶数フレームに対応する画像データに基づき画像として表示されるとともに、液晶素子２０ｂには、上述した奇数フレームに対応する画像データに基づき画像として表示される。これにより、両液晶素子２０ａ、２０ｂの各表示画像が適正に入れ替わることとなり、観察者は違和感なく視認できる。
【０１３７】
なお、本発明の実施にあたり、上記各実施形態に限ることなく、次の種々の変形例が挙げられる。
（１）上記各実施形態にて述べた画像表示装置は、網膜走査型表示装置であっても、上記各実施形態と同様の作用効果が達成され得る。
（２）上述した複数の画像は、視差のない画像の複数の組であってもよい。
（３）眼鏡Ａに代えて、両液晶素子２０ａ、２０ｂを両表示部として有する単一の表示装置を採用してもよい。
（４）上記第１或いは第２の実施形態とは異なり、複数の画像データが、両画像データの一方毎に、属性情報を含むように構成してもよい。
（５）フレーム毎に画像データを両液晶素子２０ａ、２０ｂにより表示する例に限ることなく、例えば、ライン毎、複数ライン毎或いは複数フレーム毎のように、所定単位毎に画像データを両液晶素子２０ａ、２０ｂにより表示するようにしてもよい。
（６）複数の画像データは、外部回路から直列に並んで上記入力回路に入力されるものに限ることなく、当該複数の画像データは、上記分配装置に内蔵してなるＣＤドライブやＤＶＤドライブから上記入力回路に入力されるものでであってもよい。
備えてなる
【図面の簡単な説明】
【０１３８】
【図１】本発明に係る第１実施形態の分配装置を示すブロック図である。
【図２】上記第１実施形態の立体視用眼鏡の斜視図である。
【図３】（ａ）は、図１の信号分離回路からのアナログ画像信号を、左眼用及び右眼用の画像データの列として示す例示図であり、（ｂ）は、当該アナログ画像信号の左眼用及び右眼用の画像データの構成図であり、（ｃ）は、上記アナログ画像信号において右眼用画像データＲ２が欠けている状態を示す図であり、（ｄ）は、記憶装置への記憶データを示す図であり、（ｅ）は、右眼用画像データＲ２が欠けている場合の記憶装置への記憶データを示す図である。
【図４】本発明の第２実施形態の要部を示すブロック図である。
【図５】本発明の第３実施形態の要部を示すブロック図である。
【符号の説明】
【０１３９】
Ａ…眼鏡、Ｂ、Ｂａ、Ｂｂ…分配装置、ＳＷ…切り替えスイッチ、
２０ａ、２０ｂ…液晶素子、３０ｂ…アドレス回路、
５０、５０ａ…フレームライン判定回路、５０ｂ…フレーム判定回路、
６０、６０ａ…属性情報判定回路、
７０ａ、７０ｂ、７０ｃ、７０ｄ、７０ｅ…記憶装置、６０ｂ…データ選択回路、
９０ａ、９０ｂ…駆動回路。
【図１】
2006025179.tif 000003
【図２】
2006025179.tif 000004
【図３】
2006025179.tif 000005
【図４】
2006025179.tif 000006
【図５】
2006025179.tif 000007